(57)【要約】      （修正有）【課題】鑞付けせずに被連結体が連結可能なジュエリー用連結具を提供する。【解決手段】環状の連結具本体１の一部に形成される分離可能な第一接続部１ａ及び第二接続部１ｂに、第一重合部２及び第二重合部３を互いに重なり合うように形成し、これら第一重合部２及び第二重合部３が重なり合った時に、第一接続部１ａ及び第二接続部１ｂに亘って通孔４を開穿しておき、連結具本体１の第一接続部１ａ及び第二接続部１ｂの間から被連結体が通された後に、第一重合部２及び第二重合部３を互いに重ね合わせ、それらの通孔４に連結ピン５を第一接続部１ａ及び第二接続部１ｂに亘り挿通し、連結ピン５の端部５ａ，５ｂを溶融して第一接続部１ａ及び第二接続部１ｂを結合することにより、連結具本体１が環状になって被連結体が連結される。【選択図】図１
0003157673.tif 000002
【実用新案登録請求の範囲】
【請求項１】
環状に形成されてその一部に分離可能な第一接続部及び第二接続部を有し、これら第一接続部及び第二接続部の間から被連結体が通される連結具本体と、
前記第一接続部及び第二接続部にそれぞれ互いに重なり合うように形成される第一重合部及び第二重合部と、
これら第一重合部及び第二重合部が重なり合った時に前記第一接続部及び第二接続部に亘って開設される通孔と、
この通孔を通って前記第一接続部及び前記第二接続部に亘り挿通される連結ピンとを備え、
前記連結ピンの端部を溶融して前記第一接続部及び前記第二接続部を結合したことを特徴とするジュエリー用連結具。
【請求項２】
前記連結具本体が、環状体を２分割した同形状の一対の半環部材で構成され、これら半環部材の両端に前記第一重合部と前記第二重合部をそれぞれ形成し、その一組の前記第一重合部及び前記第二重合部を重ね合わせるとともに、その一組の前記第一重合部及び前記第二重合部に開設された前記通孔に支持ピンを挿通して、前記半環部材を回動自在に軸着したことを特徴とする請求項１記載のジュエリー用連結具。
【請求項３】
前記連結ピンの両端部を、前記第一接続部及び前記第二接続部の表面から突出するようにレーザー溶接したことを特徴とする請求項１又は２記載のジュエリー用連結具。
【考案の詳細な説明】
【技術分野】
【０００１】
本考案は、例えばネックレスやペンダントなどの被連結体を連結するために用いられるジュエリー用連結具に関する。
【背景技術】
【０００２】
従来、この種のジュエリー用連結具として、ペンダントや台座に「バチカン」と呼称するリング状の金具をロー付け（鑞付け）により取付け、取付けた金具にネックレスを通して連結するペンダント連結具と、帯状の平板の両端をそれぞれＵ字状に折り曲げ、上下に平行して重ね合せて長円形の環状とし、この重ね合せ部分で上方に位置する先端を斜め上方に曲げて挿入ガイドを形成したペンダント連結具とがある。後者のペンダント連結具は、挿入ガイドをペンダントや台座の取付孔に挿入し、前記重ね合せ部分を越えて環状部分まで取り込むことにより、ペンダントや台座と該ペンダント連結具が可動自在に連結され、ついで環状部分にネックレスを挿通するか、またはネックレスをペンダント連結具の挿入ガイドの間を通して環状部分に挿入することにより、ネックレスとペンダント等を連結することができるようにしている（例えば、特許文献１参照）。
【先行技術文献】
【特許文献】
【０００３】
【特許文献１】登録実用新案第３０１５２６７号公報（第３−７頁、図１−３）
【考案の概要】
【考案が解決しようとする課題】
【０００４】
しかし乍ら、このような従来のジュエリー用連結具では、前者のペンダント連結具の場合、リング状のバチカンを鑞付けにより固着する際に、鑞付け作業中の熱が直接ペンダントに伝わったり、フラックスや鑞がペンダントに付着して汚れたり傷付けたりして、製品の変色やデザインを損なう等の問題が発生していた。
さらに、付着した汚れや傷付きを除去するためには、その後工程として表面研磨や研磨剤を洗い落とすために超音波などによる洗浄工程が必要になって、ネックレスやペンダントなどの連結作業が完了するまでに時間を要するという問題があった。
また、後者のペンダント連結具の場合には、重ね合せ部分から挿入ガイドが斜めに突出しているため、挿入ガイドの先端が使用者の肌に引っ掛かってケガするおそれがあるとともに、衣類に引っ掛かって傷付けるおそれがあるだけでなく、ペンダント連結具に対してペンダントや台座が斜めに倒れると、その取付孔が重ね合せ部分に侵入して外れて紛失するおそれがあるという問題もあった。
【０００５】
本考案は、このような問題に対処することを課題とするものであり、鑞付けせずに被連結体が連結可能なジュエリー用連結具を提供すること、一対の半環部材を共通部品化すること、被連結体の連結作業に要する時間を短縮化すること、などを目的とするものである。
【課題を解決するための手段】
【０００６】
このような目的を達成するために本考案は、環状に形成されてその一部に分離可能な第一接続部及び第二接続部を有し、これら第一接続部及び第二接続部の間から被連結体が通される連結具本体と、前記第一接続部及び第二接続部にそれぞれ互いに重なり合うように形成される第一重合部及び第二重合部と、これら第一重合部及び第二重合部が重なり合った時に前記第一接続部及び第二接続部に亘って開設される通孔と、この通孔を通って前記第一接続部及び前記第二接続部に亘り挿通される連結ピンとを備え、前記連結ピンの端部を溶融して前記第一接続部及び前記第二接続部を結合したことを特徴とする。
【０００７】
前述した特徴に加えて、前記連結具本体が、環状体を２分割した同形状の一対の半環部材で構成され、これら半環部材の両端に前記第一重合部と前記第二重合部をそれぞれ形成し、その一組の前記第一重合部及び前記第二重合部を重ね合わせるとともに、その一組の前記第一重合部及び前記第二重合部に開設された前記通孔に支持ピンを挿通して、前記半環部材を回動自在に軸着したことを特徴とする。
【０００８】
さらに前述した特徴に加えて、前記連結ピンの両端部を、前記第一接続部１ａ及び前記第二接続部１ｂの表面から突出するようにレーザー溶接したことを特徴とする。
【考案の効果】
【０００９】
前述した特徴を有する本考案は、環状の連結具本体の一部に形成される分離可能な第一接続部及び第二接続部に、第一重合部及び第二重合部を互いに重なり合うように形成し、これら第一重合部及び第二重合部が重なり合った時に、第一接続部及び第二接続部に亘って通孔を開穿しておき、連結具本体の第一接続部及び第二接続部の間から被連結体が通された後に、第一重合部及び第二重合部を互いに重ね合わせ、それらの通孔に連結ピンを第一接続部及び第二接続部に亘り挿通し、連結ピンの端部を溶融して第一接続部及び第二接続部を結合することにより、連結具本体が環状になって被連結体が連結されるので、鑞付けせずに被連結体が連結可能なジュエリー用連結具を提供することができる。
その結果、リング状のバチカンを鑞付けする従来のものに比べ、ペンダントやチェーンなどの被連結体に鑞付け作業中の熱が伝わったり、フラックスや鑞が付着して汚れたり傷付けたりせず、製品の変色やデザインが損なうことを防止できる。
それにより、被連結体の表面又は全体が熱や洗浄などに対してデリケートなものであっても簡単に連結できる。
【００１０】
また、前記連結具本体が、環状体を２分割した同形状の一対の半環部材で構成され、これら半環部材の両端に前記第一重合部と前記第二重合部をそれぞれ形成し、その一組の前記第一重合部及び前記第二重合部を重ね合わせるとともに、その一組の前記第一重合部及び前記第二重合部に開設された前記通孔に支持ピンを挿通して、前記半環部材を回動自在に軸着した場合には、同形状に形成される半環部材のいずれか一方に対し他方の向きを変えて、これら半環部材の一端を支持ピンで回動自在に軸着することにより、半環部材の他端が、もう一組の第一重合部及び第二重合部を有する分離可能な第一接続部及び第二接続部となるので、一対の半環部材を共通部品化することができる。
その結果、別部品を組み合わせるものに比べ、製造コストの低減化が図れるとともに、部品の在庫管理が簡単になって管理コストの低減化も図れる。
【００１１】
また、前記連結ピンの両端部を、前記第一接続部及び前記第二接続部の表面から突出するようにレーザー溶接した場合には、連結ピンの両端部をレーザー溶接で第一接続部及び第二接続部の表面から目立たない程度に突出させることで、その後の表面研磨工程が簡略化されるので、被連結体の連結作業に要する時間を短縮化することができる。
その結果、小判カンや丸カンのような蝋付後に研磨剤により表面研磨して超音波などによる洗浄が必要な従来のものに比べ、研磨剤による表面研磨や超音波洗浄が大幅に簡略化されるか又は省略され、短時間で被連結体の連結作業を完了させることができる。
【図面の簡単な説明】
【００１２】
【図１】本考案の実施形態に係るジュエリー用連結具の全体構成を示す説明図であり、（ａ）が連結前の状態を示す斜視図、（ｂ）が連結後の状態を示す斜視図である。
【図２】図１（ｂ）の（２）−（２）線に沿える拡大縦断面図である。
【図３】接続部の変形例を示す部分的な側面図である。
【考案を実施するための形態】
【００１３】
以下、本考案の実施形態を図面に基づいて詳細に説明する。
本考案の実施形態に係るジュエリー用連結具Ａは、ネックレスやペンダントなどの被連結体（図示しない）を連結するために用いる従来周知の「バチカン」や「小判カン（鐶）」「丸カン（鐶）」などに代わるものであり、後述する連結具本体１の第一接続部１ａ及び第二接続部１ｂの間から被連結体を通し、その後、これら第一接続部１ａ及び第二接続部１ｂが結合されて連結具本体１を環状にすることにより、ネックレスとペンダントなどが連結具本体１を介して連結される。
【００１４】
このジュエリー用連結具Ａは、図１〜図３に示すように、環状に形成されてその一部に分離可能な一対の第一接続部１ａ及び第二接続部１ｂを有する連結具本体１と、これら第一接続部１ａ及び第二接続部１ｂにそれぞれ互いに重なり合うように形成される第一重合部２及び第二重合部３と、これら第一重合部２及び第二重合部３が重なり合った時に第一接続部１ａ及び第二接続部１ｂに亘って開設される通孔４と、この通孔４を通って第一接続部１ａ及び第二接続部１ｂに亘り挿通される連結ピン５とを備えている。
【００１５】
連結具本体１は、例えば金、銀、白金などの貴金属やその他の金属からなる線材で、平面（上面）から見た形状が例えば小判形、丸形、Ｄ形などの環状に形成され、その一部を分離してそれぞれの端に一対の第一接続部１ａ及び第二接続部１ｂが、互いに離隔又は接近するように移動可能でしかも連結具本体１の厚さ方向（図１〜図３の場合には上下方向）へ対向するように形成される。
その具体例としては、図１（ａ）（ｂ）に示されるように、連結具本体１の中間位置を分割して、それらに支持ピン６を挿通させて回動自在に軸着することにより、第一接続部１ａ及び第二接続部１ｂが開閉移動するように支持されている。
また、その他の例として図示しないが、支持ピン６に代えて凹凸嵌合により第一接続部１ａ及び第二接続部１ｂを開閉移動させることが可能であり、さらに連結具本体１を構成する線材が比較的に細い場合には、この細い線材の弾性変形によって第一接続部１ａ及び第二接続部１ｂを開閉移動させることも可能である。
【００１６】
第一接続部１ａ及び第二接続部１ｂには、連結具本体１の厚さ方向へ互いに重なり合う第一重合部２及び第二重合部３がそれぞれ形成される。
図１（ａ）（ｂ）に示される例では、第一接続部１ａの厚さ方向中間位置に第一重合部２として軸方向へ延びる凸部２ａを突出形成し、第二接続部１ｂの厚さ方向両端に一対の凸部３ａを突出形成することで、厚さ方向中間位置に第二重合部３として凹部が形成され、図１（ｂ）に示されるように第一接続部１ａ及び第二接続部１ｂを閉動した時には、第一重合部２の凸部２ａと第二重合部３の凹部が凹凸嵌合して、一対の凸部３ａの間に第一重合部２の凸部２ａを挟むように重ね合わされている。
また、その他の例として、図３に示されるように、第一接続部１ａの厚さ方向一端側に第一重合部２として軸方向へ延びる凸部２ｂを突出形成し、また第二接続部１ｂの厚さ方向他端側に軸方向へ延びる凸部３ｂを突設することで、第二接続部１ｂの厚さ方向一端側に第二重合部３として凹部が形成されるようにすることも可能である。
なお、図３の実線に示される例では、第一重合部２及び第二重合部３の重ね合わせ面３ｓを階段状に形成したが、図３の二点鎖線に示されるように、第一重合部２及び第二重合部３の重ね合わせ面３ｓが直線状に傾斜するように形成したり、曲線状に傾斜するように形成することも可能である。
【００１７】
さらに、第一接続部１ａ及び第二接続部１ｂには、連結具本体１の厚さ方向へ貫通する通孔４がそれぞれ開穿され、図１（ｂ）及び図２に示される第一接続部１ａ及び第二接続部１ｂの閉動時において、これらの通孔４を連結具本体１の厚さ方向へ一直線状に並ぶように配置し、この通孔４には、連結ピン５が第一接続部１ａ及び第二接続部１ｂに亘って挿通される。
【００１８】
連結ピン５は、連結具本体１を構成する金属と同じ材料か又は類似する溶融可能な材料で通孔４の内径よりも若干細い線状に形成され、図１（ａ）に示されるような所定長さ寸法に切断したものか、又は切断せずに連続する線材のまま用いる。
所定長さ寸法に切断された連結ピン５を使用する場合には、図１（ｂ）に示される第一接続部１ａ及び第二接続部１ｂの閉動時において、連結具本体１の厚さ方向へ一直線状に並んだ通孔４に対し、連結ピン５が挿通され、この通孔４から突出する連結ピン５の両端部５ａ，５ｂが加熱溶融されて第一接続部１ａ及び第二接続部１ｂを結合することにより、連結ピン５を介して第一接続部１ａ及び第二接続部１ｂが開動不能に連結されるようにしている。
また図示しないが、連結ピン５として所定長さ寸法に切断せずに連続する線材を使用する場合には、事前に、線材の先端が溶融されて玉状の拡径部を形成しておき、次に、この玉状の拡径部が通孔４の一端縁に係止されるように線材を挿通させ、最後に、該線材の通孔４の他端縁から所定長さ分だけ突出する個所を切断することで連結ピン５となり、通孔４から突出する連結ピン５の両端部が加熱溶融されて第一接続部１ａ及び第二接続部１ｂを結合することにより、連結ピン５を介して第一接続部１ａ及び第二接続部１ｂが開動不能に連結されるようにしている。
さらに、このような連結ピン５の溶着としては、レーザー光線の照射によって微小点溶接（スポット溶接）するレーザー溶接を用いることが好ましい。
【００１９】
図１（ａ）（ｂ）及び図２に示される例では、通孔４として第一接続部１ａ及び第二接続部１ｂに亘り全て同径の円形孔４ａ，４ｂがそれぞれ開穿され、これら円形孔４ａ，４ｂの内径よりも若干小径な断面円形の連結ピン５を挿通し、その両端部５ａ，５ｂがそれぞれ加熱溶融されて、円形孔４ｂの内周面及び接続部１ｂを構成する挟持片３ａの表面にそれぞれ溶着することにより、連結ピン５が抜け止めされている。
この際、連結ピン５の両端部５ａ，５ｂをレーザー溶接で第一接続部１ａ及び第二接続部１ｂの表面から目立たない程度に突出させることが好ましい。
また、その他の例として図示しないが、接続部１ａに開穿される円形孔４ａの内径よりも接続部１ｂに開穿される円形孔４ｂの一部又は全部の内径が若干大きくなるように形成して、連結ピン５の両端部５ａ，５ｂからの溶融物が入り込むようにすることにより、連結ピン５を更に抜け難くすることも可能である。
またさらに、通孔４として第一接続部１ａ及び第二接続部１ｂに亘り円形とは異なる形状の孔を開穿するが可能であり、レーザー溶接に代えて他の溶接手段を用いることも可能である。
【００２０】
このようなジュエリー用連結具Ａによると、図１（ａ）に示されるように、開動した連結具本体１の第一接続部１ａ及び第二接続部１ｂの間から、ペンダントやネックレスなどの被連結体を通し、その後、図１（ｂ）に示されるように、これら第一接続部１ａ及び第二接続部１ｂを閉動して第一重合部２及び第二重合部３を互いに重ね合わせ、それらに一直線状に開穿される通孔４に、連結ピン５を第一接続部１ａ及び第二接続部１ｂに亘り挿通し、連結ピン５の両端部５ａ，５ｂをレーザー溶接などにより溶着して、第一接続部１ａ及び第二接続部１ｂを結合させている。
それにより、連結具本体１が環状になって被連結体となるネックレスとペンダントなどを鑞付けすることなく連結でき、熱や洗浄などに対してデリケートな被連結体であっても簡単に連結できる。
次に、本考案の各実施例を図面に基づいて説明する。
【実施例】
【００２１】
この実施例は、図１（ａ）（ｂ）及び図２に示すように、連結具本体１が、環状体を２分割した同形状の一対の半環部材１１，１２で構成され、これら半環部材１１，１２の両端に第一重合部２と第二重合部３をそれぞれ形成し、その一組の第一重合部２及び第二重合部３を重ね合わせるとともに、それら第一重合部２及び第二重合部３に開設される通孔４に支持ピン６を挿通して半環部材１１，１２を回動自在に軸着した場合を示すものである。
【００２２】
一対の半環部材１１，１２は、環状体の中心を通るように二等分した略半円形や略半楕円形などに一体形成され、それぞれの一端には第一重合部２を一体形成し、それぞれの他端には第二重合部３を形成し、これら第一重合部２及び第二重合部３には通孔４がそれぞれ開穿されている。
そして、一対の半環部材１１，１２は、そのどちらか一方に対し他方の向きを変えて、二組の第一重合部２及び第二重合部３がそれぞれ対向するように配置し、これら第一重合部２及び第二重合部３が重なり合った時に、それらに開穿された通孔４がそれぞれ連結具本体１の厚さ方向へ一直線状に並ぶように構成されている。
一組の第一重合部２及び第二重合部３に開設される通孔４には、支持ピン６を挿通して軸着し、もう一組の第一重合部２及び第二重合部３に開設される通孔４には、連結ピン５を挿通し、前述したようにレーザー溶接などで溶着して、第一接続部１ａ及び第二接続部１ｂを結合させている。
【００２３】
支持ピン６は、前述した連結ピン５と同様な線材である。
図１（ａ）（ｂ）に示される例では、一対の半環部材１１，１２にそれぞれ形成される一組の第一重合部２と第二重合部３を重ね合わせ、それらに開設される通孔４に支持ピン６を挿通した後に、その両端部がレーザー溶接などで溶着される。
さらに、この溶着工程の後には、必要に応じて、半環部材１１，１２の表面から突出する支持ピン６の両端部が研磨剤を用いて表面研磨され、これら半環部材１１，１２の表面と支持ピン６の両端部とがそれぞれほぼ面一の平坦面となるようにしている。
【００２４】
また、図２に示される例では、連結ピン５の両端部５ａ，５ｂをそれぞれレーザー溶接することで、第一接続部１ａ及び第二接続部１ｂの表面からほぼ曲面状に若干突出するように溶着している。
【００２５】
このような実施例に係るジュエリー用連結具Ａでは、同形状に形成される半環部材１１，１２のいずれか一方に対し他方の向きを変えて、二組の第一重合部２及び第二重合部３がそれぞれ対向するように配置する。
詳しく説明すると、半環部材１１，１２の一方に対し他方が点対称となるように配置すれば、図１（ａ）に示されるように、二組の第一重合部２及び第二重合部３がそれぞれ対向するように配置される。
この状態で、これら半環部材１１，１２の一端にそれぞれ形成される一組の第一重合部２及び第二重合部３を重ね合わせ、それらに開設された通孔４に支持ピン６を挿通して半環部材１１，１２が回動自在に軸着されると、半環部材１１，１２の他端が、もう一組の第一重合部２及び第二重合部３を有する分離可能な一対の第一接続部１ａ及び第二接続部１ｂとなる。
【００２６】
それにより、一対の半環部材１１，１２を共通部品化でき、製造コストや管理コストの低減化が図れるという利点がある。
また、ネックレスとペンダントなどの被連結体を連結具本体１によって連結する作業現場では、図１（ａ）に示される半製品を用意しておき、連結する被連結体が決まった時点で、前述した連結作業を行えば、簡単に連結することができる。
【００２７】
さらに、図２に示される例のように、連結ピン５の両端部５ａ，５ｂをレーザー溶接で第一接続部１ａ及び第二接続部１ｂの表面から目立たない程度に突出させた場合には、その後の研磨剤を用いた表面研磨工程を簡略化又は省略することが可能になる。
それにより、被連結体の連結作業に要する時間を短縮化できるという利点がある。
【００２８】
なお、前示実施例では、連結具本体１が環状体を通るように二等分した一対の半環部材１１，１２で構成される場合を示したが、これに限定されず、一体形状の連結具本体１を用いても良い。
【符号の説明】
【００２９】
１  連結具本体                          １ａ  第一接続部
１ｂ  第二接続部                        ２  第一重合部
３  第二重合部                          ４  通孔
５  連結ピン                            ５ａ，５ｂ  端部
１１，１２  半環部材
【図１】
0003157673.tif 000003
【図２】
0003157673.tif 000004
【図３】
0003157673.tif 000005